(57)【特許請求の範囲】
【請求項１】
スポンジたわし保持ケースの前面に保持用針出入り窓を構成し、
前記スポンジたわし保持ケースの内部に回転ドラムを支点ピンで回転可能に保持し、
前記回転ドラムに回転ドラムを常時後方に回転するように付勢するスプリングを取り付け、
前記回転ドラムに、スポンジたわしを保持するための２本の保持用針と前記回転ドラムを回転させるための安全レバーを固定してなり、
不使用時には、前記スプリングの力で前記回転ドラムは後方に回転してスポンジたわし保持用針はケーシング内に収納され、
使用時には、前記安全レバーを前方に引いて前記回転ドラムを前方に回転させることで前記保持用針を前記保持用針出入り窓から出して前記保持用針に前記スポンジたわしを保持することで、前記スポンジたわしは前記回転ドラムの後方への回転力によって前記スポンジたわし保持ケースの前面に押しつけられて保持されることを特徴とするスポンジたわし保持具。
【発明の詳細な説明】
【技術分野】
【０００１】  本発明は、一般家庭の流し台で使用するスポンジたわしの保持具に関し、シンク内での出っ張りを少くなくし、小型化を図った保持具に関する。
【背景技術】
【０００２】  従来の一般家庭で使用されている多くのスポンジたわし収納具は、流し台のシンク内に、吸盤で取り付け使用するタイプで、皿形、カゴ形、ボックス形等が最も多く、シンク内中央部に大きく突き出して、使用されている。スポンジたわしを個別に吊り下げる方法で収納ラックを不要とするものもある（特許文献１参照。）。また、たわしクリップという
0004773576.tif 000002
るものもある（実用文献１参照。）。【０００３】  以下、図６，図７により従来のスポンジたわしの収納具について説明する。図において５はスポンジたわしで、図６では、スポンジたわしに摘み部を設け、吸盤を取り付けたクリップで挟みシンク内側に吊るす方法で、スポンジ用ラックを不要としている。【０００４】
0004773576.tif 000003
スポンジたわしの厚みで、その透き問に合った所に差し込む方法で吊り下げる。
【先行技術文献】
【特許文献】
【０００５】
【特許文献１】特開２００５−１４４１０１号  公報
【実用新案文献１】
実開平７−４３５８３号  公報
【発明の概要】
【発明が解決しようとする課題】
【０００６】  以上に述べた従来のスポンジたわし収納具では、スポンジたわしの購入時毎に、摘み部のあるスポンジたわしの確認が必要で、大変面倒であり、又、吸盤にあるクリップで挟むこともだんだん苦痛になってしまうという難点がある。また、たわしクリップ式の場合でも、いちいちスポンジたわしの厚みに適合する所を探すことも面倒に成りがちである。そ
0004773576.tif 000004
狭くする要因でもある。【０００７】  本発明は、このような従来の構成が有していた問題を解決しようとするものであり、シンク側面にスポンジたわしを１個ずつ貼り付けるような構造にしたことで、効果的に保持し、突起物の少ないスポンジたわし保持具を実現することを目的とするものである。
【課題を解決するための手段】
【０００８】
本発明は上記目的を達成するために、スポンジたわし保持ケースの前面に保持用針出入り窓を構成し、前記スポンジたわし保持ケースの内部に回転ドラムを支点ピンで回転可能に保持し、前記回転ドラムに回転ドラムを常時後方に回転するように付勢するスプリングを取り付け、前記回転ドラムに、スポンジたわしを保持するための２本の保持用針と前記回転ドラムを回転させるための安全レバーを固定してなり、不使用時には、前記スプリングの力で前記回転ドラムは後方に回転してスポンジたわし保持用針はケーシング内に収納され、使用時には、前記安全レバーを前方に引いて前記回転ドラムを前方に回転させることで前記保持用針を前記保持用針出入り窓から出して前記保持用針に前記スポンジたわしを保持することで、前記スポンジたわしは前記回転ドラムの後方への回転力によって前記スポンジたわし保持ケースの前面に押しつけられて保持されることを要旨とする。
そして、スポンジたわしを個別に保持するために収納式針内蔵のスポンジたわし保持ケースを３〜４個を、横１列に並列させるために、吸盤付取付板に２本のガイド丸棒を設け、各保持ケースにガイド孔を設けて、前記ガイド棒に挿入することで１体化させる。よって横１列の平面的な形式のスポンジたわし保持具とするものである。
【０００９】
また、各スポンジたわし保持ケースには、ケース頭頂部に安全レバーを設け、そのレバー操作により、保持ケース内部内蔵の収納式保持針が左右２本同時に上向の状態で出てくる。軽くこの保持用針にスポンジたわしを押しあて、少しだけ下側に下げることにより、スポンジたわしは、水平、垂直にピッタリと保持される構造としたものである。
【００１１】
また、各保持ケース面に如何に、ピッタリとスポンジたわしを貼り付けるかであるが、その手段として、常時収納されている保持用針を、左右水平に２本出すかであり、１本の保持用針の場合では、スポンジたわしの保持用針の刺さる位置により、左右どちら側かに傾いて水平にはならない。２本の保持用針が上向きで、鋭角にスポンジたわしの洗い擦る面に刺されば、その状態で固定され、なおかつ、保持用針の角度により、保持ケース面に引き寄せられる力も働き、保持する力が増強される効果を発揮する。
【発明の効果】
【００１２】  上述したように本発明のスポンジたわし保持具は、流し台シンク内での出っ張り部分の少くない、平面的にすることで、邪魔にならなく、水作業の効率化を図り、また、吊り下げる効果として、水切れも良くなり、非常に衛生的なスポンジたわし保持具を提供できる。【００１３】  また、スポンジたわしの脱着に関しても、装着時では安全レバーを軽く引き装着するが、取り外す場合は、軽くスポンジたわしのみを持ち上げればよく、簡単である。さらに、個別に吊り下げる方式であるので、スポンジたわしのランク別にして、左側１番は新品、中間は中位、３番目は少し汚れた物用などとすることで、横１列の吊り下げ効果を発揮するものである。
【図面の簡単な説明】
【００１４】
【図１】本発明の実施形態を示すスポンジたわし保持具の正面図
【図２】保持具図１におけるＡ−Ａ′線断面図
【図３】保持具図１におけるＢ−Ｂ′線断面図
【図４】保持具の断面図
【図５】保持具図４におけるＣ−Ｃ′線断面図
【図６】従来のスポンジたわしの実施図
【図７】従来のスポンジたわし整理器具の斜視図
【発明を実施するための形態】
【００１５】  以下、本発明の実施の形態を図１〜図５に基づいて説明する。
【００１６】
0004773576.tif 000005
する支持枠１は強度を増すために補強板６に固定され、その補強板６に吸盤３が取り付けられて、スポンジたわし保持具本体として構成されている。
【００１７】  スポンジたわし保持ケース２の内部には、スポンジたわし５を保持するための保持用針８と、安全レバー７を固定し回転させるための回転ドラム９が、支点ピン１０で、保持ケース２に装着されている。
【００１８】
また、ケーシング１２には、ガイド丸棒４に取り付け用のガイド孔１１が２ヶ所設けられている。
【００１９】  ここで、常時安全レバー７が、安全レバー作動位置７′に留める働きするために、スプリング１３の力で、スプリング取り付けピン１５を引いている。この装置で、スポンジたわし保持用針８は、使用しない場合には、常に、ケーシング１２内部にあり安全が確保されている。
【００２０】
以下、上記構成の動作を説明する。ガイド用丸棒４に支持されている、３〜４個のスポンジたわし保持具２は、各種、スポンジたわしの寸法巾の違いにより、それぞれに合うようガイド用丸棒上を移動できる。また、スポンジたわし取り付け面には、保持用針８の出入り用の窓１６があり、常時、安全性を考慮して、ケーシング１２内にあり、使用時に安全レバー７を引くことにより、左右の保持用針の出入り窓１６より、保持用針が上向きで鋭角をつけて出てくる。その保持用針に向かって、スポンジたわしの擦り洗いする面を軽く押し当て、スポンジたわしを下側にずらす要領で手を離せば、保持具に保持される。また、取り外す時は、スポンジたわしを軽く持ち上げるだけで、保持具より簡単に外すことができる。
【００２１】
0004773576.tif 000006
用し、部品数も少くなくして、簡単に掃除のできる構造とした。
【００２２】  また、外観的にも美くしく、不潔になりがちな流し台回わりを、明るい色彩で構成する事で、より一層衛生的な効果を発揮する。
【符号の説明】
【００２３】  ２  スポンジたわし保持具
６  透明アクリル補強板
７  安全レバー
８  保持用針
９  保持用針・安全レバー取り付けドラム
１６  保持用針出入り窓
【要約】
【課題】従来のスポンジたわしの収納具においては、流し台シンク中央部に大きく突き出してしまい、邪魔で雑然となりがちな収納具となってしまう欠点があった。
【解決手段】シンク中央部に出っ張らないようにするには、まず、等１にスポンジたわしを個別にシンク側面に貼り付ける方法が最善の解決策となる。その解決手段として、スポンジたわしの擦り洗らう面を鋭利な角度で、突き上げるように２本の保持用針を刺すことで、スポンジたわしは、吊り下げて保持することができる。横１列に数個の保持装置を並べる構成とすることで、出っ張りの少くない、整然と吊り下げることのできる、スポンジたわし保持具である。
【選択図】図２【図１】
0004773576.tif 000007
【図２】
0004773576.tif 000008
【図３】
0004773576.tif 000009
【図４】
0004773576.tif 000010
【図５】
0004773576.tif 000011
【図６】
0004773576.tif 000012
【図７】
0004773576.tif 000013